(57)【要約】【課題】構造が簡単で、クリップ部材の先端部に装飾体を容易に係合可能な、クリップ部材強度が高く、繰り返しの使用、衝撃等によって、クリップ部材が破損し難い、クリップ部材を有する筆記具を提供する。【解決手段】筒体に、樹脂製のクリップ部材を一体または付設してなる、クリップ部材を有する筆記具において、前記クリップ部材の先端部に貫通穴を形成するとともに、前記クリップ部材の底壁に、軸心方向に延び、且つ前記軸筒と当接する係止突部を、前記貫通穴を挟み、対峙する位置に併設する。【選択図】          図１
2006240105.tif 000002
【特許請求の範囲】
【請求項１】
筒体に、樹脂製のクリップ部材を一体または付設してなる、クリップ部材を有する筆記具において、前記クリップ部材の先端部に貫通穴を形成するとともに、前記クリップ部材の底壁に、軸心方向に延び、且つ前記軸筒と当接する係止突部を、前記貫通穴を挟み、対峙する位置に併設したことを特徴とするクリップ部材を有する筆記具。
【請求項２】
前記貫通穴の軸心方向の長さが、前記係止突部の軸心方向の長さより小さいことを特徴とする請求項１に記載のクリップ部材を有する筆記具。
【請求項３】
前記係止突部が、軸筒先端方向から軸筒後端方向に向かって間隙が離間する、ハの字形状に形成したことを特徴とする請求項１または２に記載のクリップ部材を有する筆記具。
【発明の詳細な説明】
【技術分野】
【０００１】
本発明は、筒体にクリップ部材を一体または付設してなる、クリップ部材を有する筆記具に関する。
【背景技術】
【０００２】
従来から、樹脂製のクリップ部材の先端内壁部の内壁に設けた玉部等の係止部を有した、クリップ部材を有する筆記具はよく知られている。こうしたクリップ部材を有する筆記具において、特開平１０−２７８４８３号「筆記具のクリップ飾り」や実開昭５９−１１０６８２号「筆記具のクリップ」に開示されているように、クリップ部材に装飾体を係合した構造もよく知られている。
【特許文献１】「特開平２００２−５２８９３号公報」
【特許文献２】「実開昭５９−１１０６８２号公報」
【発明の開示】
【発明が解決しようとする課題】
【０００３】
前述したクリップ部材に装飾体を係合した筆記具では、クリップ部材を覆うように、直接、装飾体を係合した構造、またはクリップ部材に形成した貫通穴に装飾体を係合した構造が開示されている。
【０００４】
しかしながら、前者のクリップ部材を覆うように、直接、装飾体を係合する構造は、装飾体を係合し難く、抜けやすいという問題があった。また、後者のクリップ部材に形成した貫通穴に装飾体を係合する構造は、装飾体を係合し易く好ましいが、クリップ部材の強度が低下するため、繰り返しの使用、衝撃等によって、クリップ部材が破損する恐れがあるため、クリップ部材の略中央部に貫通穴を形成したり、クリップ部材の肉厚を厚くしたりする必要があった。
【０００５】
ところで、クリップ部材の表面には、商品名や製造社名などの印刷やシールが施すことが一般的であり、そのため、クリップ部材に装飾体を係合する場合には、商品名や製造社名を隠すことのないように、できるだけクリップ部材の先端部近傍に係合することが望まれている。
【０００６】
本発明の目的は、構造が簡単で、クリップ部材の先端部に装飾体を容易に係合可能な、クリップ部材の強度が高く、繰り返しの使用、衝撃等によって、クリップ部材が破損し難い、クリップ部材を有する筆記具を提供することである。
【課題を解決するための手段】
【０００７】
本発明は、筒体に、樹脂製のクリップ部材を一体または付設してなる、クリップ部材を有する筆記具において、前記クリップ部材の先端部に貫通穴を形成するとともに、前記クリップ部材の底壁に、軸心方向に延び、且つ前記軸筒と当接する係止突部を、前記貫通穴を挟み、対峙する位置に併設する。
【０００８】
また、前記貫通穴の軸心方向の長さが、前記係止突部の軸心方向の長さより小さくする。
【０００９】
また、前記係止突部が、軸筒先端方向から軸筒後端方向に向かって間隙が離間する、ハの字形状に形成する。
【００１０】
本発明のクリップ部材に用いる樹脂材料には、クリップ部材に従来から使用されている樹脂材料を適宜選択して使用することができ、具体的には、ポリプロピレン、ポリカーボネート、スチレン・アクリロニトリル共重合体、ポリスチレン、ＡＢＳ等が挙げられる。
【発明の効果】
【００１１】
構造が簡単で、クリップ部材の先端部に装飾体を容易に係合可能な、クリップ部材強度が高く、繰り返しの使用、衝撃等によって、クリップ部材が破損し難い、クリップ部材を有する筆記具を提供することができた。
【発明を実施するための最良の形態】
【００１２】
次に図面を参照しながら、本発明のクリップ部材を有する筆記具の実施例を説明するが、本発明は以下の実施例に限定されるものではない。
【実施例１】
【００１３】
図１から図７に示すクリップ部材を有する筆記具１は、軸筒２の外壁面２ａに一体に形成した主柱８に係合凸部９を設け、クリップ部材３の後端部に設けた両側壁５に、係合凸部９に対向する係合凹部１０を形成し、係合凸部９と係合凹部１０を凹凸係合して、クリップ部材３を軸筒２に付設してある。
【００１４】
また、軸筒２の後端部の外壁２ａに設けたクリップ部材３側に向かって延びる突起部６と、クリップ部材３の内壁に設けた軸筒２側に向かって延びる突起部７を覆うようにコイルスプリング１１を配設することにより、クリップ部材３の先端内壁部を、軸筒２の外壁面２ａ側に常時弾発して付設してある。また、クリップ部材３の後端部３ａを押圧（図１の矢印Ｆ方向）することにより、クリップ部材３と軸筒２との連結部を支点とし、クリップ部材３の先端内壁部を軸筒２の外壁面２ａから離間可能にしてある。
【００１５】
クリップ部材３の先端部には貫通穴１２を形成してあり、クリップ部材３の底壁には、貫通穴１２を挟み、対峙する位置に係止突部４を併設してある。尚、係止突部４の形状は、特に限定されるものではないが縦断面方向で、ポケット等の被係止物が進入し易いように略円弧状に形成してある。
【００１６】
クリップ部材３の底壁の貫通穴１２を挟み、対峙する位置に係止突部４を併設することによって、貫通穴１２を形成することによって低下するクリップ部材３の強度が向上するので、繰り返しの使用、衝撃等によって、クリップ部材が破損し難くなる。
【００１７】
貫通穴１２の形状は、特に限定されるものではないが、貫通穴１２の軸心方向Ｊの長さが、前記係止突部４の軸心方向の長さＫより小さくすることによって、クリップ部材の強度の低下が小さくなるので好ましい。
【００１８】
クリップ部材３の先端部の貫通穴１２には、装飾体１３の脚部１３ａを、クリップ部材３に貫通穴１２に、外側（図２の矢印Ｇ方向）から押圧して、クリップ部材３に装飾体１３を簡単に圧入係合可能である。また、クリップ部材３の先端部に貫通穴１２を形成することにより、クリップ部材３表面の商品名や製造社名等の文字１４や図形の制約が少ない。
【００１９】
装飾体１３の形状は、貫通穴１２に係合可能であれば特に限定されるものではないが、本発明は、クリップ部材３の先端部に貫通穴１２を形成してあるので、クリップ部材３表面の商品名や製造社名等の文字１４や図形を隠すことがないような形状が好ましい。また、装飾体１３の係合方法も特に限定されないが、着脱自在に係合することで、使用者の好みの装飾体１３を適宜選択可能となるので好ましい。
【実施例２】
【００２０】
図８に、本発明の他の例を示す。クリップ部材２１の先端部には貫通穴２３を形成してあり、クリップ部材２２の底壁に、貫通穴２３を挟み、対峙する位置に係止突部２２を、先端部の間隔Ｍに比べて軸筒後端方向に向かって傾斜して間隔Ｎが離間（Ｍ＜Ｎ）するハの字形状に併設してある。
【００２１】
係止突部２２を併設し、ハの字形状に形成することによって、貫通穴２３を挟み対峙する位置に係止突部２２を形成してあっても、係止突部２２間の先端側の幅Ｎを小さくすることができ、横断面方向において、ポケット等の被係止物（図示せず）が進入（図７の矢印Ｈ方向）しやすい。
【００２２】
本実施例では、筒体として軸筒を用いているが、筒体をキャップとし、キャップにクリップ部材を付設する構造であってもよい。
【産業上の利用可能性】
【００２３】
キャップ式、ノック式等、クリップ部材を有する筆記具として広く実施可能であり、使用者の好みによって、装飾体を簡単に着脱可能である。
【図面の簡単な説明】
【００２４】
【図１】実施例１のクリップ部材を有する筆記具を示す一部省略した縦断面図である。
【図２】図１における装飾体を係合する状態を示す一部省略した縦断面図である。
【図３】図２におけるクリップ部材のみの外観図である。
【図４】図１におけるクリップ部材のみを軸筒側から見た図である。
【図５】図１におけるＡ−Ａ拡大断面図である。
【図６】図１におけるＢ−Ｂ拡大断面図である。
【図７】図１におけるＣ−Ｃ拡大断面図である。
【図８】実施例２における、クリップ部材のみを軸筒側から見た図である。
【符号の説明】
【００２５】
１  クリップ部材を有する筆記具
２  軸筒
３、２１  クリップ部材
４、２２  係止突部
５  側壁
６、７  突起
８  支柱
９  係合凹部
１０係合凸部
１１  コイルスプリング
１２、２３  貫通穴
１３  装飾体
１４  文字
【図１】
2006240105.tif 000003
【図２】
2006240105.tif 000004
【図３】
2006240105.tif 000005
【図４】
2006240105.tif 000006
【図５】
2006240105.tif 000007
【図６】
2006240105.tif 000008
【図７】
2006240105.tif 000009
【図８】
2006240105.tif 000010